(57)【要約】【課題】ＵＳＢインターフェースに拡張機器が接続された場合のプラグ・アンド・プレイの機能を適切に設定できるようにすると共に、キーやメニュー項目を増加することなく、拡張機器の設定を行えるようにする。【解決手段】ＵＳＢインターフェース２７に拡張機器が装着されたら、プラグ・アンド・プレイ機能がオンかオフかを判断し、プラグ・アンド・プレイ機能がオンの場合には、拡張機器からの映像が入力されるように入力を切り替え、メニュー内の拡張機器の項目を表示させる。プラグ・アンド・プレイ機能がオフの場合には、プラグ・アンド・プレイによる入力切り替えを行わずに、メニュー内の拡張機器の項目が表示させる。また、拡張機器が装着されると、メニューが拡張機器の機能に応じて、メニューが変更され、ファンクションメニューが変更され、ダイレクトキーの機能が変更される。【選択図】図６
2007329530.tif 000002
【特許請求の範囲】
【請求項１】
それぞれが外部からの映像信号を入力可能な複数の入力端子と、拡張機器が接続可能なディジタルインターフェースと、前記各入力端子を介して外部から入力される映像信号又は前記拡張機器からの映像信号に基づいて映像を投影表示する投影表示手段と、を備えた映像機器であって、
前記ディジタルインターフェースに拡張機器が挿脱されたことを検出する機器挿脱検出手段と、
前記ディジタルインターフェースに装着された拡張機器を判別する機器判別手段と、
前記ディジタルインターフェースに拡張機器が装着されると、前記ディジタルインターフェースに接続された拡張機器を優先して選択させるプラグ・アンド・プレイ機能実行手段と、
前記プラグ・アンド・プレイのオン／オフを設定するオン／オフ設定手段と、
前記ディジタルインターフェースに拡張機器が装着されると、前記プラグ・アンド・プレイの動作がオンに設定されているときには、装着された拡張機器からの入力映像信号に切り替え、前記プラグ・アンド・プレイの動作がオフに設定されているときには、前記プラグ・アンド・プレイによる入力映像信号の切り替えを行わないように映像入力の選択を制御する入力切替手段と、
を備えたことを特徴とする映像機器。
【請求項２】
前記ディジタルインターフェースに拡張機器が装着されると、拡張機器の動作設定を行うための表示が有効になるように設定する設定手段をさらに備えたことを特徴とする請求項１に記載の映像機器。
【請求項３】
前記ディジタルインターフェースから前記拡張機器が外されているときには、前記拡張機器の動作設定を行うためのメニュー表示が無効になり、前記ディジタルインターフェースに前記拡張機器が装着されると、前記拡張機器の動作設定を行うためのメニュー表示が有効になるように設定することを特徴とする請求項２に記載の映像機器。
【請求項４】
前記ディジタルインターフェースから前記拡張機器が外されているときには、映像機器本体の動作設定を行うためのファンクションメニューとなり、前記ディジタルインターフェースに前記拡張機器が装着されると、前記拡張機器の動作設定を行うためのファンクションメニューに変更されることを特徴とする請求項２に記載の映像機器。
【請求項５】
前記ディジタルインターフェースから前記拡張機器が外されているときには、映像機器本体の動作設定を行うためのダイレクトキーとなり、前記ディジタルインターフェースに前記拡張機器が装着されると、前記拡張機器の動作設定を行うためのダイレクトキーに変更されることを特徴とする請求項２に記載の映像機器。
【請求項６】
前記ディジタルインターフェースに装着された拡張機器を選択していないときには、映像機器本体の動作設定を行うためのファンクションメニューとなり、前記ディジタルインターフェースに装着された拡張機器を選択すると、前記拡張機器の動作設定を行うためのファンクションメニューに変更されることを特徴とする請求項２に記載の映像機器。
【請求項７】
前記ディジタルインターフェースに装着された拡張機器を選択していないときには、映像機器本体の動作設定を行うためのダイレクトキーとなり、前記ディジタルインターフェースに装着された拡張機器を選択すると、前記拡張機器の動作設定を行うためのダイレクトキーに変更されることを特徴とする請求項２に記載の映像機器。
【請求項８】
それぞれが外部からの映像信号を入力可能な複数の入力端子を介して外部から入力される映像信号と、拡張機器が接続可能なディジタルインターフェースを介して拡張機器から入力される映像信号とに基づいて映像を投影表示する映像機器の表示処理方法であって、
前記ディジタルインターフェースに拡張機器が挿脱されたことを検出する工程と、
前記プラグ・アンド・プレイ機能のオン／オフを検出する工程と、
前記ディジタルインターフェースに拡張機器が装着されると、前記プラグ・アンド・プレイの動作がオンに設定されているときには、プラグ・アンド・プレイ機能を実行させ、装着された拡張機器からの入力映像信号に切り替え、前記プラグ・アンド・プレイの動作がオフに設定されているときには、前記プラグ・アンド・プレイによる入力映像信号の切り替えを行わないように映像入力の選択を制御する工程と、
を備えたことを特徴とする映像機器の表示処理方法。
【請求項９】
前記ディジタルインターフェースに拡張機器が装着されると、拡張機器の動作設定を行うための表示が有効になるように設定する工程をさらに備えたことを特徴とする請求項８に記載の映像機器の表示処理方法。
【請求項１０】
それぞれが外部からの映像信号を入力可能な複数の入力端子を介して外部から入力される映像信号と、拡張機器が接続可能なディジタルインターフェースを介して拡張機器から入力される映像信号とに基づいて映像を投影表示する映像機器の表示処理プログラムであって、
前記ディジタルインターフェースに拡張機器が挿脱されたことを検出するステップと、
前記プラグ・アンド・プレイ機能のオン／オフを検出するステップと、
前記ディジタルインターフェースに拡張機器が装着されると、前記プラグ・アンド・プレイの動作がオンに設定されているときには、プラグ・アンド・プレイ機能を実行させ、装着された拡張機器からの入力映像信号に切り替え、前記プラグ・アンド・プレイの動作がオフに設定されているときには、前記プラグ・アンド・プレイによる入力映像信号の切り替えを行わないように映像入力の選択を制御するステップと、
を備えたことを特徴とする映像機器の表示処理プログラム。
【請求項１１】
前記ディジタルインターフェースに拡張機器が装着されると、拡張機器の動作設定を行うための表示が有効になるように設定するステップをさらに備えたことを特徴とする請求項１０に記載の映像機器の表示処理プログラム。
【発明の詳細な説明】
【技術分野】
【０００１】
本発明は、プロジェクタ等の映像機器、映像機器の表示処理方法、及び映像機器の処理プログラムに関するもので、特に、ＵＳＢ（Ｕｎｉｖｅｒｓａｌ  Ｓｅｒｉａｌ  Ｂｕｓ）インターフェースのようなディジタルインターフェースを使って拡張機器を接続できるようにしたものに関する。
【背景技術】
【０００２】
プロジェクタは、大画面の映像をスクリーンに投射することができ、映画鑑賞、プレゼンテーション、教育用等に用いられている。このようなプロジェクタにおいて、ＵＳＢインターフェースを有し、各種の拡張機器を接続できるようにしたものが開発されている。拡張機器としては、原稿を撮影する高精度のプロジェクションカメラ、ビデオデータのメモリ、無線ＬＡＮ（Ｌｏｃａｌ  Ａｒｅａ  Ｎｅｔｗｏｒｋ）を使ってサーバからのビデオデータをアクセスする機器等が考えられている。
【０００３】
ＵＳＢインターフェースは、例えば特許文献１に示されているように、装着された機器を特定し、装着された機器に対応する動作を行わせるようなプラグ・アンド・プレイの機能を実現できる。このようなプラグ・アンド・プレイの機能を使うと、ＵＳＢインターフェースに拡張機器が接続された場合には、自動的に、装着された拡張機器からの画像が選択されるように、入力を切り替えることができる。
【０００４】
【特許文献１】特開２００５−１８２５３３号公報
【発明の開示】
【発明が解決しようとする課題】
【０００５】
ところが、上述のようなプラグ・アンド・プレイの機能が常に有効になっていると、プロジェクタで映像を映し出しているときに、ＵＳＢインターフェースに拡張機器が接続された場合には、入力が拡張機器側に強制的に切り替わってしまうという不具合が発生する。
【０００６】
つまり、例えば、プロジェクタで、ＤＶＤ（Ｄｉｇｉｔａｌ  Ｖｅｒｓａｔｉｌｅ  Ｄｉｓｃ）プレーヤの再生画面を映し出しているとする。ここで、例えば、ＵＳＢインターフェースに拡張機器としてプロジェクションカメラが装着されたとする。この場合、プラグ・アンド・プレイの機能が有効になっていると、ＤＶＤプレーヤの再生画面が突然プロジェクションカメラの撮影画面に切り替わってしまうという不具合が発生する。
【０００７】
また、拡張機器がＵＳＢインターフェースに接続できるようになると、これらの拡張機器の設定が必要になる。そのため、拡張機器毎のリモートコントローラを用意することが考えられるが、拡張機器毎のリモートコントローラを用意すると、リモートコントローラの数が増えてしまうという問題が生じる。
【０００８】
また、プロジェクタ本体を操作するリモートコントローラに、予め、拡張機器の動作を設定するためのキーやメニューを組み込んでおくことが考えられる。ところが、拡張機器の動作を設定するためのキーを予め組み込んでおくと、キーの数が膨大になるという問題がある。また、この場合、拡張機器を取り付けていないときにも、拡張機器の動作を設定するためのキーやメニューが配列されることになり、ユーザに混乱を与えることになりかねない。
【０００９】
そこで、本発明は、上述の課題を鑑みてなされたものであり、ＵＳＢインターフェースに拡張機器が接続された場合のプラグ・アンド・プレイの機能を適切に設定できるようにすると共に、リモートコントローラのキーやメニュー項目を増加することなく、ＵＳＢインターフェースに接続された拡張機器の設定を行えるようにした映像機器、映像機器の表示方法及び映像機器の処理プログラムを提供することを目的とする。
【課題を解決するための手段】
【００１０】
上述の課題を解決するために、本発明は、以下の事項を提案している。
（１）本発明は、それぞれが外部からの映像信号を入力可能な複数の入力端子と、拡張機器が接続可能なディジタルインターフェースと、前記各入力端子を介して外部から入力される映像信号又は前記拡張機器からの映像信号に基づいて映像を投影表示する投影表示手段と、を備えた映像機器であって、前記ディジタルインターフェースに拡張機器が挿脱されたことを検出する機器挿脱検出手段と、前記ディジタルインターフェースに装着された拡張機器を判別する機器判別手段と、前記ディジタルインターフェースに拡張機器が装着されると、前記ディジタルインターフェースに接続された拡張機器を優先して選択させるプラグ・アンド・プレイ機能実行手段と、前記プラグ・アンド・プレイのオン／オフを設定するオン／オフ設定手段と、前記ディジタルインターフェースに拡張機器が装着されると、前記プラグ・アンド・プレイの動作がオンに設定されているときには、装着された拡張機器からの入力映像信号に切り替え、前記プラグ・アンド・プレイの動作がオフに設定されているときには、前記プラグ・アンド・プレイによる入力映像信号の切り替えを行わないように映像入力の選択を制御する入力切替手段と、を備えたことを特徴とする映像機器である。
【００１１】
（２）また、本発明は、それぞれが外部からの映像信号を入力可能な複数の入力端子を介して外部から入力される映像信号と、拡張機器が接続可能なディジタルインターフェースを介して拡張機器から入力される映像信号とに基づいて映像を投影表示する映像機器の表示処理方法であって、前記ディジタルインターフェースに拡張機器が挿脱されたことを検出する工程と、前記プラグ・アンド・プレイ機能のオン／オフを検出する工程と、前記ディジタルインターフェースに拡張機器が装着されると、前記プラグ・アンド・プレイの動作がオンに設定されているときには、プラグ・アンド・プレイ機能を実行させ、装着された拡張機器からの入力映像信号に切り替え、前記プラグ・アンド・プレイの動作がオフに設定されているときには、前記プラグ・アンド・プレイによる入力映像信号の切り替えを行わないように映像入力の選択を制御する工程と、を備えたことを特徴とする映像機器の表示処理方法である。
【００１２】
（３）さらに、本発明は、それぞれが外部からの映像信号を入力可能な複数の入力端子を介して外部から入力される映像信号と、拡張機器が接続可能なディジタルインターフェースを介して拡張機器から入力される映像信号とに基づいて映像を投影表示する映像機器の表示処理プログラムであって、前記ディジタルインターフェースに拡張機器が挿脱されたことを検出するステップと、前記プラグ・アンド・プレイ機能のオン／オフを検出するステップと、前記ディジタルインターフェースに拡張機器が装着されると、前記プラグ・アンド・プレイの動作がオンに設定されているときには、プラグ・アンド・プレイ機能を実行させ、装着された拡張機器からの入力映像信号に切り替え、前記プラグ・アンド・プレイの動作がオフに設定されているときには、前記プラグ・アンド・プレイによる入力映像信号の切り替えを行わないように映像入力の選択を制御するステップと、を備えたことを特徴とする映像機器の表示処理プログラムである。
【発明の効果】
【００１３】
本発明によれば、ディジタルインターフェースに拡張機器が装着されると、ディジタルインターフェースに接続された拡張機器を優先して選択させるプラグ・アンド・プレイ機能の実行をオン／オフすることができるという効果がある。プラグ・アンド・プレイの機能をオンとすれば、ディジタルインターフェースに拡張機器が装着されると、装着された拡張機器が自動的に判別され、拡張機器からの映像が選択されるように、自動的に入力を切り替えることができる。
【００１４】
また、プラグ・アンド・プレイをオフにすれば、選択状態に応じて、所定の映像を選択できる。また、プラグ・アンド・プレイをオフにすれば、映像を映し出しているときに、ディジタルインターフェースに拡張機器を装着しても、拡張機器側に入力が強制的に切り替わってしまうことが回避できるという効果がある。
【００１５】
また、本発明によれば、ディジタルインターフェースに拡張機器が装着されたかどうかを判断し、拡張機器が外されているときには、拡張機器の動作設定を行うための表示が無効になり、ディジタルインターフェースに拡張機器が装着されると、拡張機器の動作設定を行うための表示が有効になるように設定される。すなわち、ディジタルインターフェースに拡張機器が装着されたか否かに応じて、メニューが変更され、ファンクションメニューが変更され、ダイレクトキーの機能が変更される。これにより、映像機器本体のリモートコントローラを使って、拡張機器の各種の設定を行うことができるという効果がある。
【発明を実施するための最良の形態】
【００１６】
以下、本発明の実施の形態について図面を参照しながら説明する。
図１は、本発明が適用されたプロジェクタ装置の構成を示すものである。
図１において、入出力コネクタ部１０には、ビデオ入力、Ｓビデオ入力、ＲＧＢコンポーネントビデオ出力等の多数のフォーマットの映像信号を入出力するための複数映像入出力端子が配設されている。入出力コネクタ部１０からの映像信号は、入出力インターフェース（Ｉ／Ｆ）１１を介して、バス１２に送られる。
【００１７】
入出力コネクタ部１０からの映像信号は、入出力インターフェース１１を介してバス１２に送られ、バス１２を介して、画像変換部１３に送られる。そして、画像変換部１３で、各種のフォーマットの映像信号が所定のフォーマットの映像信号に変換される。
【００１８】
画像変換部１３からの映像信号は、表示エンコーダ１４に送られる。表示エンコーダ１４は、送られてきた画像信号をビデオＲＡＭ（Ｒａｎｄｏｍ  Ａｃｃｅｓｓ  Ｍｅｍｏｒｙ）１５に展開し、１フレームの間にＲＧＢの各信号が時分割された面順次のビデオ信号を生成する。この面順次のビデオ信号が表示駆動部１６に供給される。なお、表示エンコーダ１４は、画面上にメニュー等を表示するＯＳＤ（Ｏｎ  Ｓｃｒｅｅｎ  Ｄｉｓｐｌａｙ）機能を含んでいる。また、この面順次のビデオ信号に同期して、ＲＧＢの３色に分けられたカラーホイールが回転制御される。
【００１９】
表示駆動部１６は、１フレームの間にＲＧＢの各信号が時分割された面順次のビデオ信号で、空間的光変調素子（ＳＯＭ）１７を駆動する。空間的光変調素子１７としては、ＤＭＤ素子が用いられる。ＤＭＤ素子は、その表面に多数の微小なミラーを配置し、その角度を画素毎に変えられる素子である。表示駆動部１６からの信号が空間的光変調素子１７に与えられると、その表面の微少なミラーの角度が変えられ、これにより光の進路が変えられ、画素単位で光のオン／オフが行われる。
【００２０】
また、この空間的光変調素子１７に対して、例えばリフレクタ１８内に配置された超高圧水銀灯等の光源ランプ１９が出射する高輝度の白色光がカラーホイール（図示せず）を介して照射される。これにより、その反射光で光像が形成される。この光像は、投影レンズ２０を介して、図示しないスクリーンに投影表示される。
【００２１】
制御部２１は、本発明が適用されたプロジェクタの全体制御を行っている。制御部２１は、バス１２に接続される。また、制御部２１には、操作部２２から動作入力が与えられると共に、リモートコントローラ２３から、受信部２４を介して、動作入力が与えられる。
【００２２】
また、バス１２には、ＵＳＢインターフェース２７が接続される。ＵＳＢインターフェース２７には、高解像度プロジェクションカメラ、ビデオデータのメモリ、無線ＬＡＮを使ったアクセス機器等の拡張機器を装着することができる。
【００２３】
ＵＳＢインターフェース２７は、プラグ・アンド・プレイ機能の利用が可能である。プラグ・アンド・プレイ機能を利用すると、ＵＳＢインターフェース２７に接続された拡張機器を判別して、接続された拡張機器からの入力が選択される。また、本発明が適用されたプロジェクタでは、プラグ・アンド・プレイ機能のオン／オフを設定することができる。
【００２４】
リモートコントローラ２３には、図２に示すように、メニューキー３１が設けられている。このメニューキー３１が押されると、図３（Ａ）及び図３（Ｂ）に示すように、各種の設定を行うためのメニュー画面が表示される。このメニュー画面には、「プラグ・アンド・プレイのオン／オフ」の項目４０が含まれている。カーソルキー３２ａ〜３２ｄを使って、「プラグ・アンド・プレイのオン／オフ」の項目４０を選択することで、プラグ・アンド・プレイのオン／オフを設定することができる。
【００２５】
また、ＵＳＢインターフェース２７に拡張機器を装着していないときには、図４（Ａ）に示すように、メニューの項目は、本体となるプロジェクタ機器の設定項目４１ａ、４１ｂとなっている。ＵＳＢインターフェース２７に拡張機器を装着すると、図４（Ｂ）に示すように、拡張機器の設定項目４２ａ、４２ｂが含まれるようになる。
【００２６】
なお、この例では、ＵＳＢインターフェース２７に拡張機器を装着すると、拡張機器の設定項目４２ａ、４２ｂが現れるようになっているが、ＵＳＢインターフェース２７に拡張機器を装着していないときには、拡張機器の設定項目４２ａ、４２ｂを灰色表示として、ＵＳＢインターフェース２７に拡張機器が装着されたら、拡張機器の設定項目４２ａ、４２ｂを黒色表示とするようにしても良い。ここで、黒色表示は、設定可能なメニュー項目を示し、灰色表示は設定不可のメニュー項目を示すものとする。
【００２７】
更に、図２に示すように、リモートコントローラ２３には、ファンクションキー３３が設けられている。このファンクションキー３３が押されると、ファンクションメニューが表示される。このファンクションメニューは、ＵＳＢインターフェース２７に拡張機器が装着されていないときには、図４（Ａ）に示すように、プロジェクタ本体に関する機能設定項目４３ａ、４３ｂ、４３ｃが表示される。ＵＳＢインターフェース２７に拡張機器が装着されると、図４（Ｂ）に示すように、拡張機器に関する機能設定項目４４ａ、４４ｂ、４４ｃ、４４ｄ、４４ｅ、４４ｆに変更される。
【００２８】
すなわち、この例では、ＵＳＢインターフェース２７に拡張機器が装着されていないときには、図４（Ａ）に示すように、ファンクションメニューとして、プロジェクタ本体に関する機能設定項目である「明るさ」の機能設定項目４３ａと、「静音」の機能設定項目４３ｂと、「アスペクト比」の機能設定項目４３ｃとが表示される。
【００２９】
ＵＳＢインターフェース２７に、例えば拡張機器として、プロジェクションカメラが装着された場合には、図４（Ｂ）に示すように、ファンクションメニューとして、「手動シャッター」の機能設定項目４４ａと、「キャリブレーション」の機能設定項目４４ｂと、「オートフォーカス」の機能設定項目４４ｃと、「白色化」の機能設定項目４４ｄと、「回転」の機能設定項目４４ｅと、「正面撮影補正」の機能設定項目４４ｆに切り替わる。
【００３０】
更に、図２に示すように、リモートコントローラ２３には、ダイレクトキー３４、３５、３６が設けられている。これらのダイレクトキー３４、３５、３６は、ＵＳＢインターフェース２７に拡張機器が装着されていないときには、プロジェクタ本体に関する機能を直接設定するためのダイレクトキーとなり、ＵＳＢインターフェース２７に拡張機器が装着されると、拡張機器に関する機能を直接設定するためのダイレクトキーに変更される。
【００３１】
すなわち、この例では、ＵＳＢインターフェース２７に拡張機器が接続されていないときには、ダイレクトキー３４が「明るさ」の機能のダイレクトキーとなり、ダイレクトキー３５が「静音」の機能のダイレクトキーとなり、ダイレクトキー３６が「アスペクト比」の機能のダイレクトキーとなる。ＵＳＢインターフェース２７に、プロジェクションカメラの拡張機器が装着されると、ダイレクトキー３４が「白色化」の機能のダイレクトキーとなり、ダイレクトキー３５が「回転」の機能のダイレクトキーとなり、ダイレクトキー３６が「正面撮影補正」の機能のダイレクトキーに変更される。
【００３２】
なお、ダイレクトキー３４〜３６と、そのダイレクトキー３４〜３６に割り当てられた機能との関係は、ファンクションメニューの表示から確認できるようになっている。
【００３３】
すなわち、ＵＳＢインターフェース２７に拡張機器が接続されていないときには、図４（Ａ）に示したように、ファンクションメニューとして、プロジェクタ本体に関する機能設定項目である「明るさ」、「静音」、「アスペクト比」の設定項目が表示される。
【００３４】
ここで、各設定項目に付されたキーアイコン４５、４６、４７は、ダイレクトキーへの割り当てを示している。丸印のキーアイコン４５はダイレクトキー３４に割り当てられたことを示し、三角印のキーアイコン４６はダイレクトキー３５に割り当てられたことを示し、四角印のキーアイコン４７はダイレクトキー３６に割り当てられたことを示している。
【００３５】
したがって、図４（Ａ）に示すファンクションメニューから、ＵＳＢインターフェース２７に拡張機器が装着されていないときには、ダイレクトキー３４には「明るさ」の機能が割り当てられ、ダイレクトキー３５には「静音」の機能が割り当てられ、ダイレクトキー３４には「アスペクト比」の機能が割り当てられていることが分かる。
【００３６】
また、図４（Ｂ）に示すファンクションメニューから、ＵＳＢインターフェース２７に拡張機器が装着されたときには、ダイレクトキー３４には「白色化」の機能が割り当てられ、ダイレクトキー３５には「回転」の機能が割り当てられ、ダイレクトキー３４には「正面撮影補正」の機能が割り当てられていることが分かる。
【００３７】
なお、ファンクションメニューはダイレクトキーよりも多くの機能を持つことができる。その場合、図４（Ｂ）に示すように、ダイレクトキーに割り当てられている機能は、最下部に並べて配置するようにしている。これは、ダイレクトキーを使えば、ファンクションメニューから選択して使用する必要はないからである。また、ファンクションメニュー表示中も、ダイレクトキーによる操作は可能である。ファンクションメニューは、表示直後には、最上段にフォーカスが当てられる。
【００３８】
図５は、上述の機能を実現するための構成を、動作に基づく機能ブロック図で示したものである。
図５に示すように、入出力インターフェース１１内には、映像入力端子として、例えば３つの入力端子５１ａ、５１ｂ、５１ｃが設けられている。入力端子５１ａ、５１ｂ、５１ｃからの映像信号は、選択回路５３に供給される。また、ＵＳＢインターフェース２７に接続された拡張機器からの映像信号が選択回路５３に供給される。そして、選択回路５３で、入力端子５１ａ、５１ｂ、５１ｃからの映像信号、又は、ＵＳＢインターフェース２７に接続された拡張機器からの映像信号が切り替えられる。なお、実際には、入力端子５１ａ、５１ｂ、５１ｃからの映像信号を選択する選択回路と、ディジタルのＵＳＢインターフェース２７からの映像信号を選択する選択回路の構成は異なっているが、説明を簡単にするために、同一の選択回路５３として示している。
【００３９】
ＵＳＢインターフェース２７への挿脱は、機器挿脱検出部６１で検出される。機器挿脱検出部６１で、ＵＳＢインターフェース２７に拡張機器が装着されたことが検出されると、機器判断部６２で、装着された機器の種類が判別される。そして、機器判断部６２からの機器判別信号がプラグ・アンド・プレイ（Ｐ＆Ｐ）実行部６３に送られる。
【００４０】
前述したように、本発明の実施の形態では、リモートコントローラ２３を操作して、プラグ・アンド・プレイのオン／オフが設定できる。このリモートコントローラ２３からのコマンド信号は、コマンド信号受信部６４で受信され、プラグ・アンド・プレイのオン／オフ信号は、プラグ・アンド・プレイ（Ｐ＆Ｐ）オン／オフ信号検出部６５で検出される。これにより、プラグ・アンド・プレイのオン又はオフが設定される。
【００４１】
プラグ・アンド・プレイ実行部６３は、機器挿脱検出部６１からの検出信号により、ＵＳＢインターフェース２７に拡張機器が装着されたことが検出されると、機器判断部６２からの機器判別信号により、装着された拡張機器の種別を判断する。そして、プラグ・アンド・プレイのオン又はオフを判断し、プラグ・アンド・プレイのオンの場合には、入力切替部６６に、ＵＳＢインターフェース２７に装着された拡張機器からの映像信号を選択するよう指令を与える。これにより、プラグ・アンド・プレイのオンの場合には、ＵＳＢインターフェース２７からの拡張機器からの映像信号が選択されるように、選択回路５３が設定される。
【００４２】
プラグ・アンド・プレイのオフの場合には、映像入力を選択するためのインプットキー３７（図２）からのコマンド信号がインプット信号検出部６０で検出される。そして、プラグ・アンド・プレイのオフの場合には、プラグ・アンド・プレイによる入力切り替えは行わずに、インプット信号検出部６０からの検出信号に基づいて、入力切替部６６が設定される。これにより、プラグ・アンド・プレイのオフの場合には、インプットキー３７の設定状態に応じて、入力端子５１ａ、５１ｂ、５１ｃ、又は、ＵＳＢインターフェース２７からの信号が選択される。
【００４３】
また、ＵＳＢインターフェース２７に拡張機器が接続されると、機器判断部６２からの機器判別信号が設定部６７に送られる。設定部６７により、メニュー表示設定部６８、ファンクション表示設定部６９、ダイレクトキー設定部７０が、ＵＳＢインターフェース２７に拡張機器が装着されたか否かに応じて、変更される。
【００４４】
次に、本発明が適用されたプロジェクタでの処理について、フローチャートを示して説明する。
【００４５】
図６は、ＵＳＢインターフェース２７に拡張機器を装着したとき、プラグ・アンド・プレイのオン／オフにより、プラグ・アンド・プレイ機能を実現し、または、プラグ・アンド・プレイ機能をオフする処理を示すものである。
【００４６】
図６（Ａ）において、ＵＳＢインターフェース２７に拡張機器が装着された場合に（ステップＳ１０１）、プラグ・アンド・プレイ機能がオンかオフかが判断される（ステップＳ１０２）。プラグ・アンド・プレイ機能がオンの場合には、拡張機器からの映像が入力されるように入力が切り替えられ（ステップＳ１０３）、メニュー内の拡張機器の項目が表示される（ステップＳ１０４）。一方で、プラグ・アンド・プレイ機能がオフの場合には、プラグ・アンド・プレイによる入力切り替えは行わずに、ステップＳ１０４で、メニュー内の拡張機器の項目が表示される。
【００４７】
図６（Ｂ）において、ＵＳＢインターフェース２７から拡張機器が抜取られた場合には（ステップＳ１１０）、設定状態に応じて、入力が切り替えられる（ステップＳ１１１）。そして、メニュー内の拡張機器の項目の表示が消去される（ステップＳ１１２）。なお、メニュー内の黒色表示を灰色表示に変更しても良い。
【００４８】
図７は、ＵＳＢインターフェース２７に拡張機器を装着したときと、抜取ったときとに応じて、ファンクションメニューの表示を変更するときの処理を示すものである。
【００４９】
図７（Ａ）において、ＵＳＢインターフェース２７に拡張機器が装着された場合に（ステップＳ２０１）、プラグ・アンド・プレイ機能がオンかオフかが判断される（ステップＳ２０２）。プラグ・アンド・プレイ機能がオンの場合には、拡張機器からの映像が入力されるように入力が切り替えられ（ステップＳ２０３）、メニュー内の拡張機器の項目が表示される（ステップＳ２０４）。そして、ファンクションメニューの項目が装着された拡張機器に応じて変更される（ステップＳ２０５）。ステップＳ２０２で、プラグ・アンド・プレイ機能がオフの場合には、プラグ・アンド・プレイによる入力切り替えは行わずに、ステップＳ２０４で、メニュー内の拡張機器の項目が表示され、ステップＳ２０５で、ファンクションメニューの項目が装着された拡張機器に応じて変更される。
【００５０】
図７（Ｂ）において、ＵＳＢインターフェース２７から拡張機器が抜取られた場合には（ステップＳ２１０）、設定に応じて入力が切り替えられる（ステップＳ２１１）。そして、メニュー内の拡張機器の項目の表示が消去される（ステップＳ２１２）。なお、メニュー内の黒色表示を灰色表示に変更しても良い。そして、ファンクションメニューの項目がプロジェクタ本体の機能となるように変更される（ステップＳ２１３）。
【００５１】
図８は、ＵＳＢインターフェース２７に拡張機器を装着したときと、抜取ったときとに応じて、ダイレクトキーの動作を変更するときの処理を示すものである。
【００５２】
図８（Ａ）において、ＵＳＢインターフェース２７に拡張機器が装着された場合に（ステップＳ３０１）、プラグ・アンド・プレイ機能がオンかオフかが判断される（ステップＳ３０２）。プラグ・アンド・プレイ機能がオンの場合には、拡張機器からの映像が入力されるように入力が切り替えられ（ステップＳ３０３）、メニュー内の拡張機器の項目が表示される（ステップＳ３０４）。そして、ダイレクトキーの機能が装着された拡張機器に応じて変更される（ステップＳ３０５）。一方、ステップＳ３０２で、プラグ・アンド・プレイ機能がオフの場合には、プラグ・アンド・プレイ機能による入力切り替えは行わずに、ステップＳ３０４で、メニュー内の拡張機器の項目が表示され、ステップＳ３０５で、ダイレクトキーの機能が装着された拡張機器に応じて変更される。
【００５３】
図８（Ｂ）において、ＵＳＢインターフェース２７に拡張機器が抜取られた場合に（ステップＳ３１０）、設定に応じて入力が切り替えられる（ステップＳ３１１）。そして、メニュー内の拡張機器の項目の表示が消される（ステップＳ４１２）。そして、ダイレクトキーの項目がプロジェクタ本体の機能となるように変更される（ステップＳ３１３）。
【００５４】
なお、上述までの実施形態では、ファンクションメニューやダイレクトキーの変更を、ＵＳＢインターフェース２７に拡張機器が装着されたことで行っているが、インプットキー３７で拡張機器が選択されたことにより、ファンクションメニューやダイレクトキーの変更するようにしても良い。
【００５５】
図９は、インプットキー３７で拡張機器が選択されたことにより、ファンクションメニューを変更するようにした処理を示すものである。
【００５６】
図９において、インプットキー３７により入力が選択された場合には（ステップＳ４０１）、選択された機器が拡張機器かどうかが判断される（ステップＳ４０２）。拡張機器であると判断された場合には、ファンクションメニューの項目が装着された拡張機器に応じて変更される（ステップＳ４０３）。ステップＳ４０２で、拡張機器ではないと判断された場合には、プロジェクタ本体の機能となるように、ファンクションメニューが設定される（ステップＳ４０４）。
【００５７】
図１０は、インプットキーで拡張機器が選択されたことにより、ダイレクトキーを変更するようにした処理を示すものである。
【００５８】
図１０において、インプットキーにより入力が選択されたら（ステップＳ５０１）、選択された機器について、拡張機器かどうかが判断される（ステップＳ５０２）。拡張機器であると判断された場合には、ダイレクトキーの機能が装着された拡張機器に応じて変更される（ステップＳ５０３）。一方で、ステップＳ５０２で、拡張機器ではないと判断された場合には、プロジェクタ本体の機能となるように、ダイレクトキーの機能が設定される（ステップＳ５０４）。
【００５９】
以上説明したように、本発明の実施形態のプロジェクタ装置では、プラグ・アンド・プレイのオン／オフが設定できる。プラグ・アンド・プレイの機能をオンとすれば、ＵＳＢインターフェース２７に拡張機器が装着されると、装着された拡張機器が判別され、拡張機器からの映像が選択されるように、自動的に入力を切り替えることができる。また、プラグ・アンド・プレイをオフにすれば、インプットキーの設定状態により、入力される映像を所定のものに選択できる。また、プラグ・アンド・プレイをオフにすれば、プロジェクタで映像を映し出しているときに、ＵＳＢインターフェースに拡張機器が接続されると、入力が拡張機器側に強制的に切り替わってしまうことを回避できる。
【００６０】
また、本発明の実施形態に係るプロジェクタでは、ＵＳＢインターフェース２７に拡張機器が装着されると、メニューが拡張機器の機能に応じて、メニューが変更され、ファンクションメニューが変更され、ダイレクトキーの機能が変更される。このため、プロジェクタのリモートコントローラを使って、拡張機器の設定を行うことができる。
【００６１】
本発明は、上述した実施形態に限定されるものではなく、この発明の要旨を逸脱しない範囲内で様々な変形や応用が可能である。例えば、本実施形態においては、インプットキーをリモコンに設けた場合を例にとって、説明したが、インプットキーを本体側に設けてもよい。
【００６２】
なお、本発明は、プロジェクタの他、テレビジョン受像機やＶＴＲ等、ＵＳＢインターフェースを使って拡張機器を接続できる映像機器に適用することができる。
【図面の簡単な説明】
【００６３】
【図１】本発明が適用できるプロジェクタの構成を示すブロック図である。
【図２】本発明の実施形態のプロジェクタにおけるリモートコントローラの説明図である。
【図３】本発明の実施形態のメニュー表示の説明図である。
【図４】本発明の実施形態のファンクションメニュー表示の説明図である。
【図５】本発明の実施形態のプロジェクタの説明に用いる機能ブロック図である。
【図６】本発明の実施形態のプロジェクタの動作説明に用いるフローチャートである。
【図７】本発明の実施形態のプロジェクタの動作説明に用いるフローチャートである。
【図８】本発明の実施形態のプロジェクタの動作説明に用いるフローチャートである。
【図９】本発明の実施形態のプロジェクタの動作説明に用いるフローチャートである。
【図１０】本発明の実施形態のプロジェクタの動作説明に用いるフローチャートである。
【符号の説明】
【００６４】
２３：リモートコントローラ
２７：ＵＳＢインターフェース
３１：メニューキー
３２ａ〜３２ｄ：カーソルキー
３３：ファンクションキー
３４〜３６：ダイレクトキー
３７：インプットキー
４５〜４７：キーアイコン
５１ａ〜５１ｃ：入力端子
５３：選択回路
６０：インプット信号検出部
６１：機器挿脱検出部
６２：機器判断部
６３：プラグ・アンド・プレイ（Ｐ＆Ｐ）実行部
６４：コマンド信号受信部
６５：プラグ・アンド・プレイ（Ｐ＆Ｐ）オン／オフ信号検出部
６６：入力切替部
６７：設定部
６８：メニュー表示設定部
６９：ファンクション表示設定部
【図１】
2007329530.tif 000003
【図２】
2007329530.tif 000004
【図３】
2007329530.tif 000005
【図４】
2007329530.tif 000006
【図５】
2007329530.tif 000007
【図６】
2007329530.tif 000008
【図７】
2007329530.tif 000009
【図８】
2007329530.tif 000010
【図９】
2007329530.tif 000011
【図１０】
2007329530.tif 000012